(57)【要約】【課題】映像と映像に関するサブ情報を表示する際、縮小した映像の大きさによって、サブ情報の表示方法をユーザが選択することができる映像信号処理装置及び映像信号処理方法を提供する。【解決手段】映像とこの映像に関するサブ情報を受信し、複数画面で表示可能な映像信号処理装置であって、リモコンから映像の縮小指示があった場合、映像の縮小率を認識する状態管理手段３２と、状態管理手段３２によって認識された映像の縮小率に基づき受信した映像を縮小表示させる映像処理手段１３と、縮小率に応じて映像に関するサブ情報の表示方法を変更する字幕処理手段１４とを具備することを特徴とする。【選択図】  図１
2012034037.tif 000002
【特許請求の範囲】
【請求項１】
映像とこの映像に関するサブ情報を受信し、複数画面で表示可能な映像信号処理装置であって、
外部から前記映像の縮小指示があった場合、前記映像の縮小率を認識する状態管理手段と、
前記状態管理手段によって認識された前記映像の縮小率に基づき受信した前記映像を縮小表示させる映像処理手段と、
前記縮小率に応じて前記映像に関する前記サブ情報の表示方法を変更する字幕処理手段とを具備することを特徴とする映像信号処理装置。
【請求項２】
前記映像処理手段は、前記縮小率が所定の閾値よりも高い場合は前記映像の縮小率と同じ縮小率で前記サブ情報を表示させるか、あるいは、前記映像がフル画面で表示されたときに表示される前記サブ情報の大きさと同じ大きさで表示させることを特徴とする請求項１記載の映像信号処理装置。
【請求項３】
前記映像処理手段は、前記縮小率が所定の閾値以下の場合は前記サブ情報を表示させないか、あるいは、前記映像がフル画面で表示されたときに表示される前記サブ情報の大きさと同じ大きさで表示させることを特徴とする請求項１記載の映像信号処理装置。
【請求項４】
前記映像の縮小率に基づき、前記サブ情報の前記表示方法を選択可能とし外部表示装置に表示させることを特徴とする請求項１記載の映像信号処理装置。
【請求項５】
前記複数画面には、前記映像とＧＵＩ画面を表示可能とすることを特徴とする請求項１記載の映像信号処理装置。
【請求項６】
映像とこの映像に関するサブ情報を受信し、複数画面で表示可能な映像信号処理方法であって、
外部から前記映像の縮小指示があった場合、前記映像の縮小率を認識する工程と、
認識された前記映像の縮小率に基づき受信した前記映像を縮小表示させる工程と、
前記縮小率に応じて前記映像に関する前記サブ情報の表示方法を変更する工程とを具備することを特徴とする映像信号処理方法。
【請求項７】
前記縮小率が所定の閾値よりも高い場合は前記映像の縮小率と同じ縮小率で前記サブ情報を表示させるか、あるいは、前記映像がフル画面で表示されたときに表示される前記サブ情報の大きさと同じ大きさで表示させることを特徴とする請求項１記載の映像信号処理方法。
【請求項８】
前記縮小率が所定の閾値以下の場合は前記サブ情報を表示させないか、あるいは、前記映像がフル画面で表示されたときに表示される前記サブ情報の大きさと同じ大きさで表示させることを特徴とする請求項１記載の映像信号処理方法。
【請求項９】
前記映像の縮小率に基づき、前記サブ情報の前記表示方法を選択可能とし外部表示装置に表示させることを特徴とする請求項１記載の映像信号処理方法。
【請求項１０】
前記複数画面には、前記映像とＧＵＩ画面を表示可能とすることを特徴とする請求項１記載の映像信号処理装置。
【請求項１１】
第１の映像と前記第１の映像に関するサブ情報と前記第１の映像とは異なる第２の映像を受信し、複数画面で表示可能な映像信号処理装置であって、
外部から前記第１の映像の縮小指示があった場合、前記第１の映像の縮小率を認識する状態管理手段と、
前記状態管理手段によって認識された前記第１の映像の縮小率に基づき受信した前記第１の映像を縮小表示させる映像処理手段と、
前記縮小率に応じて前記第１の映像に関する前記サブ情報の表示方法を変更する字幕処理手段とを具備することを特徴とする映像信号処理装置。
【発明の詳細な説明】
【技術分野】
【０００１】
本発明の実施形態は、映像とこの映像に関するサブ情報を処理する映像信号処理装置及び映像信号処理方法に関する。
【背景技術】
【０００２】
従来、主にいくつかのアナログおよびデジタル番組とこの番組に関わるサブ情報を同時に、表示手段上に処理および表示することのできる映像信号処理装置が知られている。このサブ情報は表示される番組に関する情報であって、文字多重データ（closed caption）を含み、一般的には、放送波に重畳されて送られる。
【０００３】
このような映像信号処理装置では、多画面表示機能が備えられ、ユーザが親画面で主たる番組を見ている間でもＰＩＰ（picture in picture）のような子画面で他のチャンネルの内容をモニターし、その子画面に示される番組に関するサブ情報を表示することができる。
【先行技術文献】
【特許文献】
【０００４】
【特許文献１】特開平１１−２３４５８７号公報
【発明の概要】
【発明が解決しようとする課題】
【０００５】
多画面表示機能が備えられた映像信号処理装置において、例えば、子画面に示される番組に関するサブ情報（字幕情報等）を、子画面内に最適な表示文字サイズで表示させるためには、画面の空き領域を検出してサブ情報のサイズを変更する必要がある。しかしながら、この場合、空き領域が小さくなるとサブ情報の文字サイズも小さくなり、ユーザにとって読みにくくなるという課題がある。
【０００６】
この発明の目的は、映像と映像に関するサブ情報を表示する際、縮小した映像の大きさによって、サブ情報の表示方法をユーザが選択することができる映像信号処理装置及び映像信号処理方法を提供することにある。
【課題を解決するための手段】
【０００７】
実施形態に係る映像信号処理装置は、映像とこの映像に関するサブ情報を受信し、複数画面で表示可能な映像信号処理装置であって、外部から前記映像の縮小指示があった場合、前記映像の縮小率を認識する状態管理手段と、前記状態管理手段によって認識された前記映像の縮小率に基づき受信した前記映像を縮小表示させる映像処理手段と、前記縮小率に応じて前記映像に関する前記サブ情報の表示方法を変更する字幕処理手段とを有する。
【０００８】
また、他の実施形態に係る映像信号処理方法は、映像とこの映像に関するサブ情報を受信し、複数画面で表示可能な映像信号処理方法であって、外部から前記映像の縮小指示があった場合、前記映像の縮小率を認識する工程と、認識された前記映像の縮小率に基づき受信した前記映像を縮小表示させる工程と、前記縮小率に応じて前記映像に関する前記サブ情報の表示方法を変更する工程とを有する。
【図面の簡単な説明】
【０００９】
【図１】実施形態の映像信号処理装置の一例を示すブロック構成図である。
【図２】字幕表示のモードを選択する画面を示す図。
【図３】図２で選択した字幕表示のモードと映像表示の縮小率の組み合わせで、字幕表示の方法の一例を示す図。
【図４】図３の字幕表示方法を判断するフローチャート。
【図５】他の実施形態の映像信号処理装置の一例を示すブロック構成図である。
【図６】図５の映像信号処理装置における画面表示の一例を示す図である。
【図７】他の実施形態として２つの映像両方に字幕を表示する例を示す。
【図８】図６の字幕表示方法を判断するフローチャート。
【発明を実施するための形態】
【００１０】
以下、実施の形態について図面を参照して説明する。
図１は、本発明の一実施形態に係る映像信号処理装置の一例を示すブロック構成図である。
図１に示す映像信号処理装置には、マイクロコンピュータブロック３０と、アンテナから映像・音声信号を受信するチューナ１１と、チューナ１１で受信された映像信号、音声信号をデコードするデコーダ１２と、デコーダ１２によってデコード処理された信号に対して映像の表示画格等を処理するとともに、映像を拡大縮小するスケーリング機能を有する映像・音声処理部１３と、チューナ１１からサブ情報の例として字幕情報を抽出しデコードして字幕表示グラフィックスを生成する字幕処理部１４と、字幕処理部１４からの出力信号に基づいて字幕プレーンを生成する字幕プレーン生成部１５と、映像・音声処理部１３からの出力信号に基づいて映像プレーンを生成する映像プレーン生成部１６と、ＧＵＩ制御部３３からの出力信号に基づいてＧＵＩプレーンを生成するＧＵＩプレーン生成部１７と、それぞれの生成部で生成された字幕プレーン、映像プレーン、ＧＵＩプレーンを合成するＶミキシング部１８と、Ｖミキシング部１８で合成された信号と、映像・音声処理部１３で処理された音声信号を合成してモニタするモニタ２０とを有する。なお、マイクロコンピュータブロック３０は、ＭＰＵ（マイクロプロセッシングユニット）またはＣＰＵ（セントラルプロセッシングユニット）を内蔵しており、リモートコントローラ等からなるキー操作入力部３から送出され図示しない受光モジュールを介して受信した操作情報を受けて、その操作内容が反映されるように各回路をそれぞれ制御する。また、主として、そのＣＰＵが実行する制御プログラムを格納したＲＯＭ３１ａ（read only memory）と、該ＣＰＵに作業エリアを提供するＲＡＭ３１ｂ（random access memory）とを含み、さらにキー操作入力部３からの信号を受信する状態管理部３２と、ＧＵＩ（グラフィカルユーザインターフェース）を制御するＧＵＩ制御部３３とを有している。
【００１１】
図２は、ユーザが字幕表示のモードを選択する画面の例を示した図である。
図２に示した字幕表示設定画面では、設定１から設定３の３種類が表示されユーザによって選択可能となっている。例えば、ここでの設定１は字幕表示を優先して読みやすくするためのモードである。設定２は字幕以外の情報を優先するためのモードである。設定３は縮小率に応じて字幕表示を自動で切り替えるモードである。図２では設定１が選択されている状態を表している。
【００１２】
図３は、図２で選択した字幕表示のモードと映像表示の縮小率の組み合わせで、字幕表示の方法の例を示した図である。
図３には、設定１から設定３のそれぞれのモードに応じて、次に示すような表示形態のときの字幕表示が示されている。表示形態の例として、映像がフル画面で表示される場合と、映像とＧＵＩが組み合わされた場合で映像が（縮小率＞ｘ％）で縮小表示される場合と、映像が（縮小率≦ｘ％）で縮小表示される場合が示されている。なお、ｘ％は例えば５０％を閾値とし、ここでいう縮小率とは、元の映像のサイズ（フル画面サイズ）に対する割合のことである。例えば、縮小率８０％とした場合には、元の映像のサイズに対して２０％縮小したサイズとなる。
【００１３】
ユーザが図２の字幕表示設定画面で設定１のモードを選択した場合、映像がフル画面で表示される場合にはフル画面に適した大きさの字幕情報が表示される。また、映像が（縮小率＞ｘ％）で縮小表示される場合には、字幕情報を優先して字幕情報がフル画面の時と同じ大きさで表示される。さらに、映像が（縮小率≦ｘ％）で縮小表示される場合には、同様に字幕情報を優先して字幕情報がフル画面の時と同じ大きさで表示される。これにより、縮小された映像に合わせて字幕情報は小さくならず、ユーザにとっては見やすくなる。
【００１４】
次に、ユーザが図２の字幕表示設定画面で設定２のモードを選択した場合、映像がフル画面で表示される場合には設定１と同じようにフル画面に適した大きさの字幕情報が表示される。また、映像が縮小率＞ｘ％で縮小表示される場合には、今度はＧＵＩを優先して字幕情報が映像の縮小と同じ縮小率で表示される。さらに、映像が縮小率≦ｘ％で縮小表示される場合には、字幕情報が表示されない。映像縮小により、映像の縮小率に合わせて字幕を小さくすると、字幕が読めなくなるため字幕を表示しないようにする。
【００１５】
次に、ユーザが図２の字幕表示設定画面で設定３のモードを選択した場合、映像がフル画面で表示される場合には設定１と同じようにフル画面に適した大きさの字幕情報が表示される。また、映像が縮小率＞ｘ％で縮小表示される場合には、設定２と同じようにＧＵＩを優先して字幕情報が映像の縮小と同じ縮小率で表示される。さらに、映像が縮小率≦ｘ％で縮小表示される場合には、設定１と同じように字幕情報を優先して字幕情報がフル画面の時と同じ大きさで表示される。
【００１６】
従って、ユーザが図２の字幕表示設定画面から設定１乃至設定３のモードを選択することで、映像の表示サイズに応じて字幕情報を優先して表示させたり、ＧＵＩを優先して表示させたりすることが可能となる。
【００１７】
図４は、図３の字幕表示方法を判断するフローチャートである。
まず、ユーザは現在の映像の表示サイズから好みの表示サイズに変更するのにキー入力操作部３（リモコン）を介して選択し決定する。この選択によって、状態管理部３２はユーザが選択した表示サイズを認識し、映像・音声処理部１３に通知する。
【００１８】
映像・音声処理部１３は、状態管理部３２からの通知によって元の映像の表示サイズが変更されたか否かを認識する。表示サイズが変更されていない場合には（ＳＴ１のＮ）、変更されるまで繰り返す。また表示サイズが変更されたと認識した場合には（ＳＴ１のＹ）、自身の持つスケーリング機能でデコーダ１２から出力された映像信号から表示サイズ（横幅、高さ）を取得し、縮小率を算出する（ステップＳＴ３）。具体的には、横幅の縮小率は、（ユーザが選択した）表示サイズ（横幅）／元の表示サイズ（横幅）として算出され、また高さの縮小率は、（ユーザが選択した）表示サイズ（高さ）／元の表示サイズ（高さ）として算出される。これにより、実際に表示する映像の表示サイズと縮小率を認識することができる。
【００１９】
次に、映像・音声処理部１３は縮小率５０％（閾値）を基準にして表示サイズの縮小率を比較する（ステップＳＴ５）。
ステップＳＴ５において、映像・音声処理部１３は横幅の縮小率＝１００％、且つ、高さの縮小率＝１００％と判断した場合、映像が元の表示サイズに合った字幕で表示させる。具体的に、映像・音声処理部１３は元の映像が縮小されない場合にはフル画面表示とするように映像プレーン生成部１６に指示する。この指示に基づいて、映像プレーン生成部１６は元の映像が縮小されない（フル画面表示用の）映像プレーンを生成する。また、状態管理部３２は字幕処理部１４に対し映像が元の表示サイズ（フル画面表示）に合った字幕を表示させるよう指示する。この指示に基づいて、字幕処理部１４は元の表示サイズに合った字幕プレーンを生成するよう字幕プレーン生成部１６に通知し、字幕プレーン生成部１６は字幕プレーンを生成させる。生成された映像プレーンと字幕プレーンはＶミキシング部１８によって合成され、映像が元の表示サイズに合った字幕がモニタ２０に表示される（ステップＳＴ７）。尚、字幕の文字サイズは映像がフル画面のときと同じである。
【００２０】
また、ステップＳＴ５において、映像・音声処理部１３は横幅の縮小率＞ｘ％、且つ、高さの縮小率＞ｘ％（縮小率が閾値ｘ％よりも大きく（５０％＜ｘ＜１００％））と判断した場合（ステップＳＴ５）、次にユーザが選択した字幕表示設定が何であるかを認識する。ユーザの字幕表示設定が設定１であると判断した場合（ステップＳＴ９）、映像が元の表示サイズに合った字幕で表示させる。具体的に、映像・音声処理部１３は映像プレーン生成部１６に縮小率に応じた映像プレーンを生成するよう指示し、映像プレーン生成部１６は映像プレーンを生成する。また、状態管理部３２は字幕処理部１４に対し字幕をフル画面と同じ大きさで表示するよう指示し、字幕処理部１４から字幕プレーン生成部１５を介して字幕プレーンを生成させる。さらに、ＧＵＩ制御部３３はキー操作入力部３の操作からＧＵＩの表示サイズを認識し、ＧＵＩプレーン生成部１７にＧＵＩプレーンを生成させる。そして、生成された映像プレーン、字幕プレーンとＧＵＩプレーンはＶミキシング部１８にて合成され、映像が元の表示サイズに合った字幕がモニタ２０に表示される（ステップＳＴ７）。
【００２１】
また、映像・音声処理部１３はユーザの字幕表示設定が設定２または設定３であると判断した場合（ステップＳＴ９）、映像のサイズに合わせて字幕を縮小表示させる。具体的には、映像・音声処理部１３は映像プレーン生成部１６に縮小率に応じた映像プレーンを生成するよう指示し、映像プレーン生成部１６は映像プレーンを生成する。また、状態管理部３２は字幕処理部１４に対し映像の縮小率に応じて字幕も映像と同じ縮小率で表示するよう指示し、字幕処理部１４から字幕プレーン生成部１５を介して字幕プレーンを生成させる。さらに、ＧＵＩ制御部３３はキー操作入力部３の操作からＧＵＩの表示サイズを認識し、ＧＵＩプレーン生成部１７にＧＵＩプレーンを生成させる。そして、生成された映像プレーン、字幕プレーンとＧＵＩプレーンはＶミキシング部１８にて合成され、字幕は映像の縮小と同じ縮小率でモニタ２０に表示される（ステップＳＴ１１）。
【００２２】
次に、ステップＳＴ５において、映像・音声処理部１３は横幅の縮小率≦ｘ％、且つ、高さの縮小率≦ｘ％（縮小率が閾値ｘ％以下（ｘ≦５０％）と判断した場合（ステップＳＴ５）、次にユーザの字幕表示設定が何であるかを認識する。ユーザの字幕表示設定が設定１または設定３であると判断した場合（ステップＳＴ１３）、映像が元の表示サイズに合った字幕で表示させる。具体的な動作については、上述したステップＳＴ７の動作と同じである。
【００２３】
また、映像・音声処理部１３はユーザの字幕表示設定が設定２であると判断した場合（ステップＳＴ１３）、字幕を表示させない。具体的には、映像・音声処理部１３は映像プレーン生成部１６に縮小率に応じた映像プレーンを生成するよう指示し、映像プレーン生成部１６は映像プレーンを生成する。また、状態管理部３２は字幕処理部１４に対し字幕を表示しないよう指示し、字幕プレーン生成部１５で字幕プレーンを生成しない。さらに、ＧＵＩ制御部３３はキー操作入力部３の操作からＧＵＩの表示サイズを認識し、ＧＵＩプレーン生成部１７にＧＵＩプレーンを生成させる。そして、生成された映像プレーンとＧＵＩプレーンはＶミキシング部１８にて合成されモニタ２０に表示されるが、字幕は表示されない（ステップＳＴ１５）。すなわち、映像縮小により映像の縮小率に合わせて字幕を小さくすると、字幕が読めなくなるため字幕をあえて表示しないようにしている。
【００２４】
次に、本発明の一実施形態に係る映像信号処理装置の一例を示すブロック構成図を図５に示す。尚、図１と同じ構成箇所には同じ符号を付してあり、説明を省略する。
【００２５】
図５に示す映像信号処理装置は、図１と比べてチューナ２１、デコーダ２２、映像・音声処理部２３、字幕プレーン２４、映像プレーン２５が追加されている。すなわち、チューナ１１に入力された映像１、音声１信号はデコーダ１２、映像・音声処理部１３、字幕処理部１４、字幕プレーン１５、映像プレーン１６、ＧＵＩプレーン１７を経由して合成され、またチューナ２１に入力された映像２、音声２信号はデコーダ２２、映像・音声処理部２３、字幕処理部１４、字幕プレーン２４、映像プレーン２５を経由して合成され、２つの映像を処理できる仕組みになっている。
【００２６】
図６は、図２で選択した字幕表示のモードと映像表示の縮小率の組み合わせで、字幕表示の方法の例を示した図である。図３と異なるところは、ＧＵＩではなく映像が２つ表示される点である。
【００２７】
図６には、設定１から設定３のそれぞれのモードに応じて、次に示すような表示形態のときの字幕表示が示されている。表示形態の例として、映像がフル画面で表示される場合と、映像１＋映像２の２画面表示でフォーカス対象の映像１の映像が（縮小率＞ｘ％）で縮小表示される場合と、映像１の映像が（縮小率≦ｘ％）で縮小表示される場合が示されている。なお、ｘ％は例えば５０％を閾値とし、ここでいう縮小率とは、元の映像のサイズ（フル画面サイズ）に対する割合のことである。例えば、縮小率８０％とした場合には、元の映像のサイズに対して２０％縮小したサイズとなる。
【００２８】
ユーザが図２の字幕表示設定画面で設定１のモードを選択した場合、映像がフル画面で表示される場合にはフル画面に適した大きさの字幕情報が表示される。また、映像１が（縮小率＞ｘ％）で縮小表示される場合には、映像縮小時は字幕表示を優先して字幕がフル画面と同じ大きさで表示される。さらに、映像１が（縮小率≦ｘ％）で縮小表示される場合には、同様に映像縮小時、字幕表示を優先して字幕がフル画面と同じ大きさで表示される。これにより、縮小された映像に合わせて字幕情報は小さくならず、ユーザにとっては見やすくなる。
【００２９】
ユーザが図２の字幕表示設定画面で設定２のモードを選択した場合、映像がフル画面で表示される場合には設定１と同じようにフル画面に適した大きさの字幕情報が表示される。また、映像１が縮小率＞ｘ％で縮小表示される場合には、映像縮小時は字幕が映像１の縮小と同じ縮小率で表示される。さらに、映像１が縮小率≦ｘ％で縮小表示される場合には、字幕情報が表示されない。すなわち、映像縮小により、映像１の縮小率に合わせて字幕を小さくすると、字幕が読めなくなるため字幕を表示しないようにする。
【００３０】
次に、ユーザが図２の字幕表示設定画面で設定３のモードを選択した場合、映像がフル画面で表示される場合には設定１と同じようにフル画面に適した大きさの字幕情報が表示される。また、映像１が縮小率＞ｘ％で縮小表示される場合には、設定２と同じように映像縮小時は字幕が映像１の縮小と同じ縮小率で表示される。さらに、映像１が縮小率≦ｘ％で縮小表示される場合には、設定１と同じように字幕情報を優先して字幕情報がフル画面の時と同じ大きさで表示される。
【００３１】
従って、２画面表示としたときでもフォーカス対象をどちらかの映像にすれば（ここでは映像１）、映像の表示サイズに応じて字幕情報を優先して表示させたり、字幕を表示させなかったりすることが可能となる。
【００３２】
また、図７に他の実施形態として２つの映像両方に字幕を表示する例を示す。
映像がフル画面で表示される場合には、図６の設定１と同じようにフル画面に適した大きさの字幕情報が表示される。また、映像１が縮小率＞ｘ％で縮小表示される場合には、映像１は図６の設定２と同じように字幕を映像１の縮小と同じ縮小率で表示し、映像２は図６の設定１と同じようにフル画面に適した大きさの字幕情報が表示される。さらに、映像１が縮小率≦ｘ％で縮小表示される場合には、映像１は図６の設定１と同じようにフル画面に適した大きさの字幕情報が表示され、映像２は図６の設定２と同じように字幕を映像２の縮小と同じ縮小率で表示される。
【００３３】
このように、映像１と映像２ともに字幕表示を表示させたり、縮小率に応じて一方の映像の字幕を表示させなかったりすることが可能となる。
図８は、図６の字幕表示方法を判断するフローチャートである。
まず、ユーザは映像１及び映像２の表示サイズから好みの表示サイズに変更するのにキー入力操作部３（リモコン）を介して選択し決定する。この選択によって、状態管理部３２は映像１と映像２の表示サイズを認識し、映像・音声処理部１３に通知する。なお、以下記述では映像１をフォーカス対象として説明する。
【００３４】
映像・音声処理部１３は、状態管理部３２からの通知によって元の映像１の表示サイズが変更されたか否かを認識する。表示サイズが変更されていない場合には（ＳＴ２１のＮ）、変更されるまで繰り返す。また表示サイズが変更されたと認識した場合には（ＳＴ２１のＹ）、自身の持つスケーリング機能でデコーダ１２、２２から出力された映像信号から表示サイズ（横幅、高さ）を取得し、縮小率を算出する（ステップＳＴ２３）。具体的には、映像１及び映像２の横幅の縮小率は、表示サイズ（横幅）／元の表示サイズ（横幅）としてそれぞれ算出され、また高さの縮小率は、表示サイズ（高さ）／元の表示サイズ（高さ）としてそれぞれ算出される。これにより、実際に表示する映像１及び映像２の表示サイズと縮小率を認識することができる。
【００３５】
次に、映像・音声処理部１３は縮小率５０％（閾値）を基準にして映像１の表示サイズの縮小率を比較する（ステップＳＴ２５）。
ステップＳＴ２５において、映像・音声処理部１３は映像１の横幅の縮小率＝１００％、且つ、映像１の高さの縮小率＝１００％と判断した場合、映像が元の表示サイズに合った字幕で表示させる。具体的に、映像・音声処理部１３は元の映像が縮小されない場合にはフル画面表示となるように映像プレーン生成部１６に指示する。この指示に基づいて、映像プレーン生成部１６は元の映像が縮小されない（フル画面表示用の）映像プレーンを生成する。また、状態管理部３２は字幕処理部１４に対し映像が元の表示サイズ（フル画面表示）に合った字幕を表示させるよう指示する。この指示に基づいて、字幕処理部１４は元の表示サイズに合った字幕プレーンを生成するよう字幕プレーン生成部１６に通知し、字幕プレーン生成部１６は字幕プレーンを生成させる。生成された映像プレーンと字幕プレーンはＶミキシング部１８によって合成され、映像が元の表示サイズに合った字幕がモニタ２０に表示される（ステップＳＴ２７）。尚、映像１の横幅、高さの縮小率が１００％の場合は、映像・音声処理部２３は映像２を表示しないように制御し、字幕処理部１４は映像２に対応した字幕を表示しないよう制御する。
【００３６】
また、ステップＳＴ２５において、映像・音声処理部１３は映像１の横幅の縮小率＞ｘ％、且つ、映像１の高さの縮小率＞ｘ％（縮小率が閾値ｘ％よりも大きく（５０％＜ｘ＜１００％））と判断した場合（ステップＳＴ２５）、次にユーザが選択した字幕表示設定が何であるかを認識する。ユーザの字幕表示設定が設定１であると判断した場合（ステップＳＴ２９）、映像が元の表示サイズに合った字幕を表示させる。具体的に、映像・音声処理部１３、２３は映像プレーン生成部１６、２５に縮小率に応じた映像プレーンを生成するよう指示し、映像プレーン生成部１６、２５は映像１及び映像２の映像プレーンをそれぞれ生成する。また、状態管理部３２は字幕処理部１４に対し映像１に対応した字幕をフル画面と同じ大きさで表示するよう指示すると共に、映像２に対応した字幕は表示させないよう指示する。これにより、字幕処理部１４から字幕プレーン生成部１５を介して映像１の字幕プレーンを生成させる。そして、生成された映像プレーン、字幕プレーンはＶミキシング部１８にて合成され、映像１及び映像２と映像１に対応した字幕が元の表示サイズ（フル画面）に合った文字サイズがモニタ２０に表示される（ステップＳＴ２７）。
【００３７】
また、映像・音声処理部１３、２３はユーザの字幕表示設定が設定２または設定３であると判断した場合（ステップＳＴ２９）、映像１に対応した字幕を映像１の縮小と同じ縮小率で表示させる。具体的に、映像・音声処理部１３は映像プレーン生成部１６に縮小率に応じた映像プレーンを生成するよう指示し、映像プレーン生成部１６は映像１の映像プレーンを生成する。また同時に、映像・音声処理部２３は映像プレーン生成部２５に縮小率に応じた映像プレーンを生成するよう指示し、映像プレーン生成部２５は映像２の映像プレーンを生成する。また、状態管理部３２は字幕処理部１４に対し映像１に対応した字幕を映像１の縮小と同じ縮小率で表示するよう、また映像２に対応した字幕は表示させないよう指示し、字幕処理部１４から字幕プレーン生成部１５を介して映像１の字幕プレーンを生成させる。そして、生成された映像プレーンと字幕プレーンはＶミキシング部１８にて合成され、映像１、映像２と映像１に対応した元の表示サイズに合った字幕がモニタ２０に表示される（ステップＳＴ２７）。
【００３８】
次に、ステップＳＴ２５において映像・音声処理部１３は映像１の横幅の縮小率≦ｘ％、且つ、映像１の高さの縮小率≦ｘ％（縮小率が閾値ｘ％以下（ｘ≦５０％）と判断した場合（ステップＳＴ２５）、次にユーザが選択した字幕表示設定が何であるかを認識する。ユーザの字幕表示設定が設定１または設定３であると判断した場合（ステップＳＴ３３）、映像が元の表示サイズに合った字幕で表示させる。具体的に、映像・音声処理部１３、２３は映像プレーン生成部１６、２５に縮小率に応じた映像プレーンを生成するよう指示し、映像プレーン生成部１６、２５は映像１及び映像２の映像プレーンをそれぞれ生成する。また、状態管理部３２は字幕処理部１４に対し映像１に対応した字幕をフル画面と同じ大きさで表示するよう指示すると共に、映像２に対応した字幕は表示させないよう指示する。これにより、字幕処理部１４から字幕プレーン生成部１５を介して映像１の字幕プレーンを生成させる。そして、生成された映像プレーン、字幕プレーンはＶミキシング部１８にて合成され、映像１及び映像２と映像１に対応した字幕が元の表示サイズ（フル画面）に合った文字サイズがモニタ２０に表示される（ステップＳＴ２７）。
【００３９】
また、映像・音声処理部１３、２３はユーザの字幕表示設定が設定２であると判断した場合（ステップＳＴ３３）、字幕を表示させない。具体的には、映像・音声処理部１３、２３は映像プレーン生成部１６、２５に縮小率に応じた映像プレーンを生成するよう指示し、映像プレーン生成部１６、２５は映像１及び映像２の映像プレーンをそれぞれ生成する。また、状態管理部３２は字幕処理部１４に対し映像１及び映像２にそれぞれ対応した字幕を表示させないよう指示する。これにより、映像・音声処理部１３、２３によって映像１及び映像２がモニタ２０に表示される（ステップＳＴ３５）。字幕を表示させない理由は、例えば映像１の縮小率に合わせて字幕を小さくすると、字幕が小さくてユーザにとって読みにくくなるためである。
【００４０】
以上説明したように、本発明は複数画面でサブ情報（字幕情報）を優先する場合、サブ情報をフル画面表示での字幕表示位置・サイズに固定する設定と、複数画面で映像を優先する場合、サブ情報を本来の映像の字幕表示位置・サイズで表示させる設定とを選択可能にする。そうすることで、例えば、子画面に示される番組に関するサブ情報を、子画面内に最適な表示文字サイズで表示させるために、画面の空き領域を検出してサブ情報のサイズを変更する必要がある。この場合、空き領域が小さくなるとサブ情報の文字サイズも小さくなって読みにくくなるが、本発明ではサブ情報を表示させなかったり、フル画面表示と同じサイズで表示させたりするため、ユーザにとって見やすくなる。
【００４１】
以上、本発明の実施形態に係る映像信号処理装置について説明したが、本発明はこれらに限定されるものではない。実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【符号の説明】
【００４２】
３…キー操作入力部、１１、２１…チューナ、１２、２２…デコーダ、１３、２３…映像・音声処理部、１４…字幕処理部、１５、２４…字幕プレーン生成部、１６、２５…映像プレーン生成部、１７…ＧＵＩプレーン生成部、１８…Ｖミキシング部、２０…モニタ、３２…状態管理部、３３…ＧＵＩ制御部
【図１】
2012034037.tif 000003
【図２】
2012034037.tif 000004
【図３】
2012034037.tif 000005
【図４】
2012034037.tif 000006
【図５】
2012034037.tif 000007
【図６】
2012034037.tif 000008
【図７】
2012034037.tif 000009
【図８】
2012034037.tif 000010